(57)【要約】      （修正有）【課題】バイアル天面の外径が異なる複数のバイアルを係止可能な、係止部材を十分に確保することができるバイアルアダプタを提供する。【解決手段】栓体を有するバイアルの外壁と接触すると共にバイアルを係止する係止部材６を備え、前記係止部材は、前記バイアルの略円形状の天面の外径に応じて当該天面の半径方向に移動可能であることにより、前記外径の異なる複数のバイアルを係止可能であるバイアルアダプタ１。【選択図】図１
2015062523.tif 000002
【特許請求の範囲】
【請求項１】
栓体を有するバイアルの外壁と接触すると共に前記バイアルを係止する係止部材を備え、
前記係止部材は、前記バイアルの略円形状の天面の外径に応じて当該天面の半径方向に移動可能であることにより、前記外径の異なる複数のバイアルを係止可能であることを特徴とするバイアルアダプタ。
【請求項２】
前記バイアルの前記栓体に先端が挿入される針状部を備える刺通部材と、
前記刺通部材に前記針状部を中心として回転可能に支持されるとともに、前記係止部材が取り付けられる係止部材ホルダと、を備え、
前記係止部材ホルダを前記刺通部材に対して回転させることにより、前記係止部材が前記半径方向に移動することを特徴とする請求項１に記載のバイアルアダプタ。
【請求項３】
前記係止部材ホルダは、当該係止部材ホルダの回転方向に進むにつれて前記半径方向における前記中心からの距離が漸増又は漸減する第１ガイド部を備え、
前記刺通部材は、前記半径方向に延在する第２ガイド部を備え、
前記係止部材は、前記係止部材ホルダが回転する場合に、前記第１ガイド部及び前記第２ガイド部にガイドされることによって、前記半径方向に移動することを特徴とする請求項２に記載のバイアルアダプタ。
【請求項４】
外方から挿入される挿入部材の接続口を区画すると共に、前記刺通部材に支持される接続部材を備え、
前記係止部材ホルダは、前記針状部の挿入方向において前記刺通部材と前記接続部材との間に挟み込まれ、前記針状部の前記挿入方向及び当該挿入方向の逆方向における移動が規制されることを特徴とする請求項２又は３に記載のバイアルアダプタ。
【請求項５】
前記係止部材は、環状に配置され、前記バイアルの前記外壁と接触すると共に前記バイアルを係止する複数の係止片であることを特徴とする請求項１乃至４のいずれか１つに記載のバイアルアダプタ。
【請求項６】
前記係止片は、前記バイアルの前記天面に略直交する方向に延在する延在部と、当該延在部の一端に設けられ、前記バイアルの外壁に設けられた括れ部により区画される環状空間に入り込む爪部と、を備えることを特徴とする請求項５に記載のバイアルアダプタ。
【請求項７】
前記爪部が前記環状空間に入り込んだ状態で、前記爪部を前記針状部の前記挿入方向と逆方向に付勢し、前記バイアルの前記外壁に押圧する付勢部材を備えることを特徴とする請求項６に記載のバイアルアダプタ。
【発明の詳細な説明】
【技術分野】
【０００１】
本発明は、バイアルに接続されるバイアルアダプタに関する。
【背景技術】
【０００２】
一般に、バイアルから薬液を採取する際は、剥き出しの金属注射針をバイアルのゴム栓（栓体）に直接穿刺して吸引している。しかしながら、剥き出しの金属注射針を栓体に直接穿刺する構成であると、注射針による針刺し事故などが生じることがある。そこで、栓体に穿刺する部材として剥き出しの注射針を使用せずに、簡便に薬剤調製することを可能とするバイアルアダプタが提案されている。
【０００３】
ところで、日本国内に流通するバイアルは、全て統一規格により製造されているわけではなく、メーカーや商品毎に形状や寸法が異なる場合がある。その１つの例として、複数のバイアル天面（栓体が設けられた面）の外径が存在することが挙げられる。
【０００４】
特許文献１には、バイアルの封緘部の下にスナップ止めする第１組のつめ及び第２組のつめをシュロウド内に備え、第２組のつめの長さが、第１組のつめの第１の長さよりも長い第２の長さを有するバイアルアダプタであって、第１組のつめがより大きい直径のバイアル封緘部と係合し、第２組のつめがより小さい直径のバイアル封緘部と係合するように、第１の長さ及び第２の長さが選択されているバイアルアダプタが開示されている。
【０００５】
特許文献１によれば、バイアル封緘部の直径が異なるバイアルに対して単一のバイアルアダプタを使用することが可能となる。
【先行技術文献】
【特許文献】
【０００６】
【特許文献１】特許第４５０９５６９号公報
【発明の概要】
【発明が解決しようとする課題】
【０００７】
しかしながら、特許文献１に開示のバイアルアダプタは、封緘部の直径が異なるバイアルを保持する目的で、異なるつめ（第１組のつめ及び第２組のつめ）を備える構成であるため、封緘部の直径が異なる各バイアルに対して使用されるつめを、単一のバイアルアダプタ内にそれぞれ設ける必要があり、各バイアルを保持可能な十分な保持力を有するつめをそれぞれ配置することが難しいという問題がある。
【０００８】
本発明の目的は、上記問題に鑑み、バイアル封緘部（バイアル天面）の直径（外径）が異なる複数のバイアルを係止可能な、爪などの係止部材を十分に確保することができるバイアルアダプタを提供することである。
【課題を解決するための手段】
【０００９】
上記課題を解決するために、本発明の第１の態様としてのバイアルアダプタは、栓体を有するバイアルの外壁と接触すると共に前記バイアルを係止する係止部材を備え、前記係止部材は、前記バイアルの略円形状の天面の外径に応じて当該天面の半径方向に移動可能であることにより、前記外径の異なる複数のバイアルを係止可能であることを特徴とするものである。
【００１０】
本発明の一実施形態としてのバイアルアダプタは、前記バイアルの前記栓体に先端が挿入される針状部を備える刺通部材と、前記刺通部材に前記針状部を中心として回転可能に支持されるとともに、前記係止部材が取り付けられる係止部材ホルダと、を備え、前記係止部材ホルダを前記刺通部材に対して回転させることにより、前記係止部材が前記半径方向に移動することが好ましい。
【００１１】
本発明の一実施形態として、前記係止部材ホルダは、当該係止部材ホルダの回転方向に進むにつれて前記半径方向における前記中心からの距離が漸増又は漸減する第１ガイド部を備え、前記刺通部材は、前記半径方向に延在する第２ガイド部を備え、前記係止部材は、前記係止部材ホルダが回転する場合に、前記第１ガイド部及び前記第２ガイド部にガイドされることによって、前記半径方向に移動することが好ましい。
【００１２】
本発明の一実施形態としてのバイアルアダプタは、外方から挿入される挿入部材の接続口を区画すると共に、前記刺通部材に支持される接続部材を備え、前記係止部材ホルダは、前記針状部の挿入方向において前記刺通部材と前記接続部材との間に挟み込まれ、前記針状部の前記挿入方向及び当該挿入方向の逆方向における移動が規制されることが好ましい。
【００１３】
本発明の一実施形態として、前記係止部材は、環状に配置され、前記バイアルの前記外壁と接触すると共に前記バイアルを係止する複数の係止片であることが好ましい。
【００１４】
本発明の一実施形態として、前記係止片は、前記バイアルの前記天面に略直交する方向に延在する延在部と、当該延在部の一端に設けられ、前記バイアルの外壁に設けられた括れ部により区画される環状空間に入り込む爪部と、を備えることが好ましい。
【００１５】
本発明の一実施形態として、前記爪部が前記環状空間に入り込んだ状態で、前記爪部を前記針状部の前記挿入方向と逆方向に付勢し、前記バイアルの前記外壁に押圧する付勢部材を備えることが好ましい。
【発明の効果】
【００１６】
本発明によると、バイアル天面の外径が異なる複数のバイアルを係止可能な係止部材を十分に確保することができる。
【図面の簡単な説明】
【００１７】
【図１】バイアル１００に接続された状態と同じ姿勢にある、本発明の一実施形態としてのバイアルアダプタ１を示す断面図である。
【図２】図１と同じ姿勢にあるバイアルアダプタ１の側面図である。
【図３】バイアル１１０に接続された状態と同じ姿勢にあるバイアルアダプタ１を示す断面図である。
【図４】図３と同じ姿勢にあるバイアルアダプタ１の側面図である。
【図５】係止片３２の単体を示す斜視図である。
【図６】図５とは異なる位置から見た場合の、係止片３２の単体を示す斜視図である。
【図７】バイアルアダプタ１における係止部材６の移動機構の１つの状態を示す分解斜視図である。
【図８】バイアルアダプタ１における係止部材６の移動機構の別の状態を示す分解斜視図である。
【図９】バイアルアダプタ１の複数の係止片３２ａ及び刺通部材３のみを示す斜視図である。
【図１０】本発明の一実施形態であるバイアルアダプタ接続体７０として、バイアル１００を備えるバイアルアダプタ接続体７０ａを示す断面図である。
【図１１】バイアルアダプタ接続体７０として、バイアル１１０を備えるバイアルアダプタ接続体７０ｂを示す断面図である。
【発明を実施するための形態】
【００１８】
以下、本発明に係るバイアルアダプタ及びバイアルアダプタ接続体の実施形態について、図１〜図１１を参照して説明する。なお、各図において共通の部材には、同一の符号を付している。
【００１９】
まず、本発明に係るバイアルアダプタの１つの実施形態について説明する。図１〜図４は、本実施形態におけるバイアルアダプタ１の構成を示す図である。
【００２０】
具体的に、図１及び図２は、栓体１０１としてのゴム栓１０１ａが設けられた略円形状の天面１０２の外径が２０ｍｍであるバイアル１００（図１０参照）に接続された状態と同じ姿勢にあるバイアルアダプタ１を示す断面図及び側面図である。また図３及び図４は、天面１０２の外径が１３ｍｍであるバイアル１１０（図１１参照）に接続された状態と同じ姿勢にあるバイアルアダプタ１を示す断面図及び側面図である。なお、バイアル１００、１１０についての詳細は後述する（図１０、図１１参照）。
【００２１】
図１及び図３に示すように、バイアルアダプタ１は、接続部材２と、刺通部材３と、連結部材４と、係止部材ホルダ５と、係止部材６と、付勢部材５０と、を備える。
【００２２】
以下に本実施形態における各部材及び各部材により構成される特徴部の詳細について説明する。なお、バイアルアダプタ１を構成する各部材は、バイアルの種類１００、１１０によらないため、説明の便宜上、各部材の説明中では「バイアル１００」としているが、「バイアル１１０」としても同様である。
【００２３】
［接続部材２］
図１及び図３に示すように、接続部材２は、外方から挿入される挿入部材の接続口７を区画すると共に、後述する連結部材４を介して刺通部材３に支持されている。
【００２４】
具体的に、接続部材２は、外方から挿入されるオスコネクタなどの挿入部材の接続口７を区画する筒状のハウジング８と、スリット９を有し、接続口７内に位置してハウジング８に保持される弾性弁体１０と、を備える。
【００２５】
ハウジング８は、略円筒状のハウジング本体１１と、このハウジング本体１１の一端側に保持されるキャップ１２とを備える。接続口７は、ハウジング本体１１及びキャップ１２により区画されている中空部であり、挿入部材は外方からこの接続口７内に挿入される。また、ハウジング本体１１の他端側は、後述する連結部材４と接続されており、これによりハウジング８が、連結部材４を介して刺通部材３に間接的に支持される。
【００２６】
具体的に接続口７は、略円柱状の第１中空部１３と、この第１中空部１３よりも入口側に位置で第１中空部１３と連通しており、第１中空部１３よりも断面の外径が小さい略円柱状の第２中空部１４と、を有している。なお、本実施形態における第２中空部１４は、図１及び図３に示すようにキャップ１２の内壁１８により区画されている。
【００２７】
弾性弁体１０は、接続口７内に位置する略円筒状の部材であって、略円柱状の中空部１５を区画している。具体的に、弾性弁体１０は、ハウジング８が区画する第１中空部１３に位置する略円筒状の蛇腹部１６と、この蛇腹部１６の一端側に連続すると共に、ハウジング８が区画する第２中空部１４に位置する略円筒状の円筒部１７と、を備える。
【００２８】
蛇腹部１６は、挿入部材の挿入によりバイアルアダプタ１の内方に押し込まれた弾性弁体１０が、挿入部材の挿入方向Ａにおいて容易に弾性変形できるように蛇腹状の壁面を有している。なお、蛇腹部１６の他端部（図１、図３において蛇腹部１６の下方側の端部）はハウジング本体１１の内壁により支持されている。具体的に、蛇腹部１６の他端部には、ハウジング本体１１の内壁に設けられた円筒状突部６５が入り込み、弾性弁体１０の中空部１５と、この円筒状筒部６５により区画され、後述する連結部材４の連結中空部２８と連通する略円柱状の中空部６６とが繋がった状態で、蛇腹部１６の他端部がハウジング本体１１により支持されている。
【００２９】
円筒部１７は、挿入部材が接続口７に挿入されていない状態では、第２中空部１４を区画するハウジング８の内壁（本実施形態ではキャップ１２の内壁１８）により圧縮された状態で、第２中空部１４内に位置している。この円筒部１７は、蛇腹部１６と連続する一端部とは反対側の他端部に天面部１９を備えており、この天面部１９にスリット９が形成されている。
【００３０】
ハウジング８と弾性弁体１０とが上述のような構成を備えることにより、挿入部材が外方から接続口７内に挿入されて、弾性弁体１０がバイアルアダプタ１の内方に押し込まれる際には、弾性弁体１０の蛇腹部１６が折り畳まれるように弾性変形すると共に、円筒部１７が第２中空部１４を通過して第１中空部１３の位置まで到達すると、円筒部１７は拡径し、天面部１９のスリット９が開き、挿入部材がスリット９を通じて弾性弁体１０が区画する中空部１５内に進入可能となる。
【００３１】
ハウジング８を構成するハウジング本体１１及びキャップ１２の材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００３２】
また、弾性弁体１０は、金型成形され、弾性変形可能に形成される。この弾性弁体１０の材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合したものであってもよい。
【００３３】
なお、本実施形態におけるハウジング８は、ハウジング本体１１とキャップ１２とにより構成されているが、この構成に限られるものではなく、例えば、ハウジング本体１１とキャップ１２とを一体で成形し、単一の部材により構成してもよい。
【００３４】
また、本実施形態における弾性弁体１０は、蛇腹部１６を有する略円筒状の弾性弁体を用いているが、これに限られるものではなく、例えば、スリットが形成された略円盤形状の弾性弁体を用いてもよい。
【００３５】
更に、中空針を用いた挿入部材が用いられる場合には、例えば、接続口を区画するハウジングと、このハウジングに保持されると共に接続口の一端を閉塞するゴム栓と、を備える接続部材としてもよい。かかる場合には、中空針がゴム栓を貫通し、中空針の中空部と接続口とが連通する。
【００３６】
［刺通部材３］
図１及び図３に示すように、刺通部材３は、バイアル１００（図１０参照）の栓体１０１に先端が挿入される針状部２０と、この針状部２０の一端に連続し、針状部２０の挿入方向Ｂ（本実施形態では挿入部材の挿入方向Ａと同じ方向）と直交する方向Ｃに延在する円盤状のフランジ部２１と、このフランジ部２１のうち針状部２０と連続する略円形状の平面とは反対側の平面でフランジ部２１と連続し、フランジ部２１の平面から突出する略円柱状の突出部２２と、を備える。なお、刺通部材３は、針状部２０の挿入方向Ｂにおいて、針状部２０、フランジ部２１、及び突出部２２を貫く略円柱状の中空部２３を区画している。
【００３７】
針状部２０は、バイアル１００の栓体１０１を通じてバイアル１００内に挿入可能な部分である。針状部２０の先端部は、栓体１０１を通じてバイアル１００内に進入すると、中空部２３の針状部２０側の一端がバイアル１００内の空間と連通する。
【００３８】
フランジ部２１は、針状部２０の基端部２４と連続しており、針状部２０の挿入方向Ｂと直交する方向Ｃに延在している。フランジ部２１のうち、針状部２０の基端部２４と連続する略円形状の平面と反対側の平面で、後述する係止部材ホルダ５及び係止部材６を支持する。この詳細は後述する。
【００３９】
略円柱状の突出部２２は、フランジ部２１の略円形の平面から突出するように設けられている。フランジ部２１及び突出部２２を挿入方向Ｂで見た場合、フランジ部２１及び突出部２２の外形は、針状部２０を中心とする同心円であり、突出部２２の天面が中心部領域を構成し、フランジ部２１の環状の平面が外部領域を構成している。
【００４０】
ここで、突出部２２は、後述する係止部材ホルダ５に設けられた円柱状の軸孔２９に入り込み、係止部材ホルダ５の回転軸を構成する。つまり、係止部材ホルダ５が円柱状の突出部２２に軸支される。係止部材ホルダ５が突出部２２に軸支された状態において、係止部材ホルダ５及び係止部材６は、フランジ部２１の平面と後述する連結部材４とにより挟み込まれて保持される。なお、上述したように、突出部２２を挿入方向Ｂで見た場合、突出部２２は針状部２０を中心とする略円形の外形を有するため、係止部材ホルダ５は、別の言い方をすれば、針状部２０の挿入方向Ｂと直交する平面において、針状部２０を中心軸として回転可能な構成である。
【００４１】
なお、フランジ部２１のうち突出部２２と連続する環状の平面には、後述する係止部材６が係止部材ホルダ５の半径方向Ｄに移動するようにガイドする第２ガイド部３１が設けられている。具体的に、本実施形態における第２ガイド部３１は、半径方向Ｄに延在する凸状のスライドレール３１ａである（図１、図８参照）。この点についての詳細は後述する。
【００４２】
刺通部材３の材料としては、例えば、上述の接続部材２のハウジング８と同様の材料を用いることが可能である。
【００４３】
［連結部材４］
連結部材４は、接続部材２と、刺通部材３とを連結する部材である。具体的に、連結部材４は、略円柱状の外形を有する本体部２５と、この本体部２５の一端と連続する略円盤状のフランジ部２６と、を備える。
【００４４】
刺通部材３は、連結部材４のうちフランジ部２６側の一端部で連結部材４に支持され、接続部材２は、フランジ部２６とは反対側の他端部で連結部材４に支持される。
【００４５】
具体的に、連結部材４のフランジ部２６には、刺通部材３の突出部２２の頂部を収容する略円柱状の凹部２７が形成されており、突出部２２がこの凹部２７に嵌り込むことにより、刺通部材３が連結部材４に支持されている。なお、略円柱状の凹部２７は、フランジ部２６の内壁及び本体部２５の一部の内壁により区画される溝である。
【００４６】
また、連結部材４の本体部２５にも、接続部材２の円筒状のハウジング本体１１の端部が嵌り込む環状溝６７が形成されており、ハウジング本体１１のうちキャップ１２が取り付けられている一端部とは反対側の他端部が、この環状溝６７に嵌り込むことにより、接続部材２が連結部材４に支持されている。
【００４７】
なお、接続部材２と連結部材４との間、及び刺通部材３と連結部材４との間は、例えば接着剤による接着されることにより、接続部材２及び刺通部材３は、連結部材４に対して固定されている。
【００４８】
ここで、接続部材２及び刺通部材３が連結部材４に対して固定されている状態で、連結部材４は、接続部材２における弾性弁体１０の中空部１５及び刺通部材３の中空部２３を連通する連結中空部２８を区画している。また、同状態では、後述する係止ホルダ６の軸孔２９に刺通部材３の突出部２２が入り込んだ状態となるため、係止部材ホルダ５は、突出部２２を軸として回転可能である一方で、係止部材ホルダ５及び係止部材ホルダ５に保持される係止部材６は、針状部２０の延在方向Ｂにおいて、軸連結部材４のフランジ部２６と、刺通部材３のフランジ部２１との間で位置が規制されている。
【００４９】
また本実施形態では、刺通部材３の中空部２３と連結部材４の連結中空部２８とが繋がる、刺通部材３と連結部材４との接続位置において、中空部２３と連結中空部２８との間で薬液の移動が円滑に行われるように、シール部材６０としてのオーリング６０ａが設けられている。オーリング６０ａは、刺通部材３の突出部２２の天面（図１、図３において突出部２２の上面）と、連結部材４の凹部２７の底面とに挟まれた位置に、中空部２３及び連結中空部２８を囲むように設けられている。これにより、中空部２３と連結中空部２８との間で薬液が漏れることが抑制される。なお、本実施形態ではシール部材６０としてのオーリング６０ａを用いているが、これに限られるものではなく、例えば刺通部材３と連結部材４とを溶着することにより薬液漏れを防止することも可能である。
【００５０】
連結部材４の材料としては、例えば、上述の接続部材２のハウジング８と同様の材料を用いることが可能である。
【００５１】
なお、本実施形態では、連結部材４を、接続部材２及び刺通部材３とは別に設ける構成としているが、接続部材２と刺通部材３との間に両者を連結させる連結機構が設けられていればよく、この構成に限られるものではない。従って、例えば、接続部材２及び刺通部材３に両者を連結可能な連結部を設け、接続部材２が刺通部材３に直接支持される構成としてもよい。
【００５２】
［係止部材ホルダ５］
係止部材ホルダ５は、刺通部材３に、この刺通部材３の針状部２０を中心として回転可能に支持されるとともに、後述する係止部材６が取り付けられる部材である。具体的に、係止部材ホルダ５は、円盤状の形状を有し、円盤中心部に形成された軸孔２９に刺通部材３の突出部２２を収容することにより、刺通部材３のフランジ部２１と連結部材４のフランジ部２６との間で、刺通部材３の突出部２２を中心軸として回転することができるように、刺通部材３に支持されている。その一方で、係止部材ホルダ５は、刺通部材３の針状部２０の挿入方向Ｂにおいて刺通部材３と接続部材２との間に挟み込まれているため、針状部２０の挿入方向Ｂ及び挿入方向Ｂの逆方向Ｅにおける移動は規制されている。なお、本実施形態では、連結部材４を介して接続部材２と刺通部材３との間に挟み込まれているが、上述したように連結部材４を備えない構成の場合には、接続部材２と刺通部材３とで直接挟み込む構成とすることができる。
【００５３】
係止部材ホルダ５は、針状部２０の挿入方向Ｂで見た場合に、係止部材ホルダ５の回転方向Ｇ（本実施形態では係止部材ホルダ５の周方向Ｆと同じ方向（図７、図８参照））に進むにつれて、半径方向Ｄにおける回転中心（刺通部材３の針状部２０）からの距離（本実施形態では回転中心軸が突出部２２であるため半径方向Ｄにおける突出部２２からの距離と同じ距離）が漸増又は漸減する第１ガイド部３０としてのガイド長孔３０ａを備える（図７、図８参照）。後述する係止部材６の突起３７（図５参照）がこのガイド長孔３０ａに嵌合されており、係止部材ホルダ５が回転する場合に、このガイド長孔３０ａと、上述した凸状のスライドレール３１ａとによって係止部材６の移動方向がガイドされ、係止部材６は半径方向Ｄのみに移動する。係止部材６の移動機構についての詳細は後述する（図７〜図９参照）。
【００５４】
係止部材ホルダ５の材料としては、例えば、上述の接続部材２のハウジング８と同様の材料を用いることが可能である。
【００５５】
［係止部材６］
係止部材６は、係止部材ホルダ５に保持され、バイアル１００（図１０参照）の外壁と接触すると共にバイアル１００を係止する部材である。本実施形態における係止部材６は、略円盤状の係止部材ホルダ５の周方向Ｆに沿って環状に配置され、バイアル１００の外壁と接触すると共にバイアル１００を係止する複数の係止片３２ａ、３２ｂ、３２ｃ、及び３２ｄで構成されている。ここで、係止部材６がバイアル１００を「係止する」とは、係止部材６により、バイアルアダプタ１に対するバイアル１００の位置が所定位置又は所定範囲から移動しないように規制されること意味している。なお、図５、図６は、１つの係止片３２を示す斜視図である。
【００５６】
図１、図３に示すように、各係止片３２は、バイアル１００の天面１０２に略直交する方向Ｈ（本実施形態では針状部２０の挿入方向Ｂと同じ方向）に延在する延在部３３と、この延在部３３の一端に設けられ、バイアル１００の外壁に設けられた括れ部１０３により区画される環状空間１０４に入り込む爪部３４と、延在部３３のうち爪部３４が設けられた一端とは反対側の他端に設けられ、係止部材ホルダ５に保持される被保持部３５と、を備えている。
【００５７】
延在部３３は、バイアル１００の略円形状の天面１０２の周面に沿うような曲面形状を有する湾曲板であって、本実施形態では、複数の係止片３２ａ、３２ｂ、３２ｃ、及び３２ｄを挿入方向Ｂで見た場合に、４つの係止片３２ａ〜３２ｄの各延在部３３は、同一円周上に配列されている（図７〜図９参照）。
【００５８】
爪部３４は、延在部３３の一端から挿入方向Ｂと直交する方向に突出しており、バイアルアダプタ１がバイアル１００に取り付けられる際に、環状空間１０４に入り込み、バイアル１００を係止する。
【００５９】
被保持部３５は、延在部３３の他端と連続し、この他端からバイアル１００の略円形状の天面１０２の半径方向Ｉ（本実施形態では係止部材ホルダ５の半径方向Ｄと同じ方向）における中心部側に延在している。また、図５、図６に示すように、被保持部３５は、湾曲板である延在部３３のうちバイアル１００の外壁と接触する内面６１と連続する底面６２と、延在部３３のうちバイアル１００の外壁と接触しない外面６３と連続する天面６４と、を有している。図６に示すように、被保持部３５の底面６２には、刺通部材３に設けられた凸状のスライドレール３１ａ（図１、図９参照）と嵌合する溝３６が形成されている。また、図５に示すように、被保持部３５の天面６４には、係止部材ホルダ５に設けられたガイド長孔３０ａ（図７、図８参照）に入り込む略円柱状の突起３７が形成されている。ガイド長孔３０ａ、凸状のスライドレール３１ａ、溝３６、及び突起３７により係止部材６が移動する機構についての詳細は後述する（図７〜図９参照）。
【００６０】
係止部材６の材料としては、例えば、上述の接続部材２のハウジング８と同様の材料を用いることが可能である。また、本実施形態における複数の係止片３２ａ〜３２ｄは、周方向Ｆにおいて中心角が９０度ずつずれた位置に４つ設けられているが、この構成に限られるものではなく、例えば、中心角が４５度ずつずれた位置に計８個の係止片を設ける構成など、特定の目的や用途に応じて、個数を適宜変更することが可能である。但し、本実施形態のように係止片３２を偶数個として、２つの係止片を一組とした場合にこの一組を構成する一方と他片の係止片３２を半径方向Ｄにおいて対向させるように、各組の係止片３２を配置することが好ましい。このような配置とすることにより、係止片３２によるバイアル１００の係止をより安定させることができる。
【００６１】
［付勢部材５０］
付勢部材５０は、係止片３２の爪部３４が、バイアル１００の括れ部１０３が区画する環状空間１０４に入り込んだ状態で、爪部３４を針状部２０の挿入方向Ｂと逆方向Ｅに付勢し、爪部３４をバイアル１００の括れ部１０３のうち天面１０２側の壁面に押圧する。
【００６２】
図１〜図４に示すように、本実施形態における付勢部材５０は、弾性部材としての金属製コイルバネ５０ａである。コイルバネ５０ａは、刺通部材３の針状部２０周囲を囲むように配置され、フランジ部２１に一端が取り付けられている。そして、針状部２０をバイアル１００の栓体１０１に対して挿入方向Ｂに挿入していくと、コイルバネ５０ａの他端がバイアル１００の天面１０２と接触する。針状部２０を挿入方向Ｂに更に押し進めると、コイルバネ５０ａは、刺通部材３のフランジ部２１と、バイアル１００の天面１０２とにより挟まれて弾性変形するため、係止片３２の爪部３４が、バイアル１００の括れ部１０３のうち天面１０２側の壁面に押圧されて、バイアルアダプタ１とバイアル１００とが強固に接続される。
【００６３】
特に、天面１０２の外径が異なる複数のバイアル１００、１１０を比べると、天面１０２を含む蓋部１０５の挿入方向Ｂにおける厚みＴも異なる（図１０、図１１参照）。従って、単一のバイアルアダプタ１により天面１０２の外径が異なる複数のバイアル１００、１１０に接続可能な構成とする場合には、本実施形態のような付勢部材５０を設けると、蓋部１０５の厚みＴによらず、係止片３２の爪部３４が、バイアルの外壁の所望の位置を常に押圧することが可能となるため特に有効である。
【００６４】
なお、コイルバネ５０ａの他端は、バイアル１００の天面１０２のうち、栓体１０１としてのゴム栓１０１ａが設けられていない位置と接触することが好ましい。コイルバネ５０ａによりゴム栓１０１ａが弾性変形し、コイルバネ５０ａによる弾性力が弱められるおそれがあるためである。従って、コイルバネ５０ａの他端は、バイアル１００の天面１０２のうち、栓体１０１としてのゴム栓１０１ａが設けられていない外部領域と接触するようにすることが特に好ましい。
【００６５】
また、本実施形態では弾性部材としてコイルバネ５０ａを使用しているが、これに限られるものではなく、例えば、周面が蛇腹状に形成された筒状のゴムとすることも可能である。
【００６６】
［係止部材６の移動機構］
ここまでは、主にバイアルアダプタ１の各構成部材について詳しく説明した。次に、天面１０２の外径が異なる複数のバイアル１００、１１０を単一のバイアルアダプタ１により係止可能とするために移動される係止部材６の移動機構について説明する。
【００６７】
図７及び図８は、係止部材６の移動機構を示す分解斜視図である。具体的に、図７は、天面１０２の外径が２０ｍｍであるバイアル１００に対して取り付け可能な位置にある係止部材６としての複数の係止片３２ａ〜３２ｄを示し、図８は、天面の外径が１３ｍｍであるバイアル１１０に対して取り付け可能な位置にある複数の係止片３２ａ〜３２ｄを示している。また、図９は、バイアルアダプタ１から刺通部材３及び複数の係止片３２ａ〜３２ｄのみを取り出した状態を示す斜視図であり、これらの部材を挿入方向Ｂに見た状態を示している。
【００６８】
図７及び図８に示すように、略円盤状の係止部材ホルダ５の中心部には軸孔２９が設けられており、この軸孔２９に刺通部材３の突出部２２が嵌り込んでいる。これにより、係止部材ホルダ５は突出部２２を中心軸として回転することができる。別の言い方をすると、刺通部材３の針状部２０の挿入方向Ｂで見た場合には、係止部材ホルダ５は、針状部２０を中心として回転する（図１、図３参照）。
【００６９】
また、上述したように、係止部材ホルダ５には、第１ガイド３０としてのガイド長孔３０ａが設けられており、係止片３２の被保持部３５における天面に設けられた突起３７がガイド長孔３０ａに入り込んでいる。また、係止片３２の被保持部３５における底面に設けられた溝３６（図６参照）は、図９で示す刺通部材３の凸状のスライドレール３１ａと嵌合している。
【００７０】
そのため、係止部材ホルダ５が接続部材２、刺通部材３及び連結部材４に対して相対的に回転すると、係止片３２の溝３６が、半径方向Ｄに延びる凸状のスライドレール３１ａと嵌り合っているため、係止片３２は、係止部材ホルダ５の回転方向Ｇには移動しない。
【００７１】
その一方で、係止部材ホルダ５が接続部材２、刺通部材３及び連結部材４に対して相対的に回転すると、係止部材ホルダ５に設けられたガイド長孔３０ａは、係止部材ホルダ５の回転方向Ｇに進むにつれて、回転中心に位置する刺通部材３の針状部２０からの半径方向Ｄにおける距離が漸増又は漸減する構成であるため、ガイド長孔３０ａに嵌り込んでいる突起３７がガイド長孔３０ａを区画する壁面に押されることにより、係止片３２は、刺通部材３に設けられた凸状のスライドレール３１ａ上を半径方向Ｄに移動することになる。
【００７２】
すなわち、係止部材６としての複数の係止片３２ａ〜３２ｄは、係止部材ホルダ５が回転する場合に、第１ガイド部３０としてのガイド長孔３０ａ及び第２ガイド部３１としての凸状スライドレール３１ａにガイドされることによって、半径方向Ｄに移動する。
【００７３】
このように、係止部材６としての複数の係止片３２ａ〜３２ｄは、係止部材ホルダ５の半径方向Ｄにおいて移動することが可能である。そのため、バイアルアダプタ１をバイアル１００及びバイアル１１０それぞれに対して接続する際に、複数の係止片３２ａ〜３２ｄは、栓体１０１が設けられた、各バイアル１００、１１０の略円形状の天面１０２の外径に応じて天面１０２の半径方向Ｉ（本実施形態では係止部材ホルダ５の半径方向Ｄと同じ方向）に移動可能であって、複数の係止片３２ａ〜３２ｄが半径方向Ｉに移動することにより、この複数の係止片３２ａ〜３２ｄのみで、天面１０２の外径が異なる複数のバイアル１００、１１０を係止することができる。すなわち、天面１０２の外径が異なる複数のバイアル１００、１１０をそれぞれ係止する異なる係止部材を設ける必要がない。
【００７４】
より具体的に、本実施形態では、複数の係止片３２ａ〜３２ｄにおける爪部３４ａ〜３４ｄが、半径方向Ｉに移動することにより、これら爪部３４ａ〜３４ｄは、天面１０２の外径が異なる複数のバイアル１００、１１０それぞれの括れ部１０３が区画する環状空間１０４に入り込んで、各バイアル１００、１１０の外壁と接触する。つまり、複数の爪部３４ａ〜３４ｄが、半径方向Ｉから各バイアル１００、１１０を挟み込むため、これら複数の爪部３４ａ〜３４ｄが、挿入方向Ｂ、挿入方向Ｂの逆方向Ｅ、及び半径方向Ｉにおける各バイアル１００、１１０の移動を規制、すなわち、各バイアル１００、１１０を係止することができる。
【００７５】
更に本実施形態では、係止片３２に加えて、上述した付勢部材５０としてのコイルバネ５０ａを設けているため、爪部３４とコイルバネ５０ａとによって各バイアル１００、１１０の蓋部１０５を挟持することができるため、挿入方向Ｂ及び挿入方向Ｂの逆方向Ｅにおける各バイアル１００、１１０の位置を固定することができる。つまり、本実施形態のバイアルアダプタ１は、係止片３２に加えてコイルバネ５０ａを備えることによって、各バイアル１００、１１０を一層強固に係止することができる。
【００７６】
なお、本実施形態では、係止部材ホルダ５を刺通部材３に対して回転させることにより、複数の係止片３２ａ〜３２ｄを半径方向Ｉに移動させている。このような回転機構を利用する構成とすることにより、係止片３２の移動機構自体を小型化することができるため、移動機構を備えるバイアルアダプタ１全体についても小型化することが可能となる。
【００７７】
ここで、図７、図８に示すように、本実施形態におけるガイド長孔３０ａは、延在方向に一様な形状を有する孔ではなく、ガイド長孔３０ａを区画する壁面の一部に、位置規制部としての対向突部３８が設けられている。具体的に、対向突部３８におけるガイド長孔３０ａの幅Ｗは、略円柱状の突起３７の直径よりも小さい。このようにガイド長孔３０ａに対向突部３８を設けることにより、突起３７がガイド長孔３０ａ内で自由に移動することを規制することができるため、係止片３２の半径方向Ｄにおける位置を、所定の位置にすることが可能となる。本実施形態では、突起３７がガイド長孔３０ａの一端にある場合に、係止片３２が天面１０２の外径が２０ｍｍであるバイアル１００を係止可能な第１の位置となり、突起３７がガイド長孔３０ａの他端にある場合に、係止片３２が天面１０２の外径が１３ｍｍであるバイアル１１０を係止可能な第２の位置となる。そして、対向突部３８は、係止片３２の突起３７がガイド長孔３０ａの一端にある場合に、突起３７がガイド長孔３０ａの他端側に移動することを規制する位置、及び係止片３２の突起３７がガイド長孔３０ａの他端にある場合に、突起３７がガイド長孔３０ａの一端側に移動することを規制する位置にそれぞれ設けられている。対向突部３８をこのような位置に設けることにより、係止片３２を、バイアル１００に対応する位置、またはバイアル１１０に対応する位置に保持することができ、天面１０２の外径が異なる各バイアル１００、１１０を、係止片３２により強固に保持することが可能となる。
【００７８】
更に、使用者が、係止片３２をガイド長孔３０ａの一端又は他端に移動させる際には、対向突部３８を乗り越える力を加えて係止部材ホルダ５を回転させる必要があるため、使用者は、係止片３２の突起３７が、ガイド長孔３０ａの一端又は他端に到達したことを、視覚のみならず触覚により感じ取ることができるため、係止片３２が所望の位置（本実施形態ではガイド長孔３０ａの一端又は他端）に到達していないのに、所望の位置に到達したと勘違いすることにより、係止片３２が各バイアル１００、１１０に対して不安定な係止位置のままとなることを抑制することができる。
【００７９】
なお、本実施形態では、位置規制部として対向突部３８を用いているが、これに限られるものではなく、例えば、対向突部３８の片方の突部のみにした構成など、各種構成を採用することが可能である。また、本実施形態では、ガイド長孔３０ａの一端側と他端側の２箇所に対向突部３８を設けているが、例えば、ガイド長孔３０ａの延在方向の一端と他端との間に更に２組の対向突部３８を設け、天面１０２の外径が１５ｍｍのバイアルに対応する位置に突起３７の位置を規制可能として、天面１０２の外径が異なる３つのバイアルを安定的に係止することができる構成としてもよい。もちろん、天面１０２の外径が異なる４つ以上のバイアルに対応するようにしてもよい。
【００８０】
更に、本実施形態では、第１ガイド部３０としてガイド長孔３０ａ、第２ガイド部３１としての凸状スライドレール３１ａを用いているが、これに限られるものではなく、係止部材６を半径方向Ｄに移動させる機構であれば、ガイド長孔３０ａや凸状スライドレール３１ａに代えて用いることが可能である。例えば、係止部材ホルダ５に突起を設け、係止部材６にその突起が嵌り込んで移動する長孔を設けてもよい。同様に、刺通部材３に溝を設け、係止部材６にこの溝と嵌合する凸状スライドレールを設けてもよい。
【００８１】
［バイアルアダプタ接続体７０］
ここまでは、本発明の１つの実施形態であるバイアルアダプタ１について説明した。次に、上述したバイアルアダプタ１がバイアル１００又はバイアル１１０に接続された状態である、本発明の１つの実施形態としてのバイアルアダプタ接続体７０について説明する。図１０は、バイアルアダプタ１が天面１０２の外径が２０ｍｍのバイアル１００に接続されたバイアルアダプタ接続体７０ａの断面図であり、図１１はバイアルアダプタ１が天面１０２の外径が１３ｍｍのバイアル１１０に接続されたバイアルアダプタ接続体７０ｂの断面図である。なお、バイアルアダプタ１の詳細は、上述したものと同様であるため、ここでは説明を省略する。
【００８２】
バイアルアダプタ接続体７０ａは、栓体１０１としてのゴム栓１０１ａが設けられた略円形状の天面１０２を有するバイアル１００と、バイアル１００の天面１０２の外径に応じて天面１０２の半径方向Ｉに移動可能であって、半径方向Ｉに移動することにより、バイアル１００の外壁と接触すると共に、バイアル１００を係止する係止部材６、を備えるバイアルアダプタ１と、を備える。
【００８３】
具体的に、本実施形態におけるバイアル１００は、薬液を収容可能な収容部７１と、ゴム栓１０１ａを有する蓋部１０５と、収容部７１と蓋部１０５との間に位置する括れ部１０３と、を備える。
【００８４】
収容部７１は、略円柱状の外形を有し、薬液を収容可能な内部空間７２を区画している。
【００８５】
蓋部１０５は、バイアルアダプタ１の針状部２０の先端を外方から挿入可能なゴム栓１０１ａを備え、図１０に示すように、針状部２０の先端はゴム栓１０１ａを通じて収容部７１の内部空間７２内に進入する。なお、蓋部１０５についても略円柱状の外形を有している。
【００８６】
括れ部１０３は、収容部７１と蓋部１０５との間に位置すると共に、収容部７１及び蓋部１０５よりも細い外形を有している。そして、括れ部１０３の括れにより、環状空間１０４を区画している。
【００８７】
なお、本実施形態のバイアル１００は、上述の収容部７１、蓋部１０５、及び括れ部１０３を、薬液の収容容器７３、栓体１０１としてのゴム栓１０１ａ、及び収容容器７３にゴム栓１０１ａを固定する固定部材７４により構成している。具体的に、収容部７１及び括れ部１０３は、収容容器７３により構成されている。また、蓋部１０５は、収容容器７３と、ゴム栓１０１ａと、固定部材７４により構成されている。
【００８８】
蓋部１０５を構成する固定部材７４は、内方に開口する環状溝７５を区画する環状部材であって、環状溝７５の側壁により、収容容器７３の開口７５を覆うように配置された、略円形状の天面を有するゴム栓１０１ａの天面外部領域と、括れ部１０３を形成する収容容器７３の外壁のうちゴム栓１０１ａ側の壁面とを挟み込むことにより、ゴム栓１０１ａを収容容器７３に固定するものである。
【００８９】
従って本実施形態におけるバイアル１００の略円形状の天面１０２は、ゴム栓１０１ａの天面の中央部領域と、この中央部領域よりも半径方向Ｉの外側においてゴム栓１０１ａの天面を覆う、固定部材７４の一部の外面と、により構成されている。なお、固定部材７４の材料としては、例えば樹脂材料や金属材料を用いることができる。
【００９０】
バイアルアダプタ１は、このようなバイアル１００に対して、係止部材６としての複数の係止片３２ａ〜３２ｄの各爪部３４を括れ部１０３が区画する環状空間１０４に進入させると共に、括れ部１０３の外壁と接触させて（括れ部１０３の外壁に引っ掛けて）、バイアル１００を係止する。なお、図１０に示すように、本実施形態における係止片３２は、天面１０２の外形が２０ｍｍのバイアル１００を係止可能な位置までしか半径方向Ｉに移動できない構成となっている。従って、本実施形態におけるバイアルアダプタ１をバイアル１００に接続する際には、複数の係止片３２ａ〜３２ｄをのうち延在部３３の部分を半径方向Ｉの外方に拡げるように弾性変形させることにより、バイアルアダプタ１をバイアル１００に接続する。
【００９１】
但し、係止片３２を、半径方向Ｉにおいて、天面１０２の外形が２０ｍｍのバイアル１００を係止可能な位置よりも外方まで移動可能な構成とすることもでき、本実施形態の構成に限られるものではない。
【００９２】
なお、図１０に示すように、本実施形態では、爪部３４と、付勢部材５０としてのコイルバネ５０ａとによって、蓋部１０５が挟持され、バイアルアダプタ１のバイアル１００に対する位置を固定することができる。
【００９３】
最後にバイアルアダプタ接続体７０ｂについて説明する。図１１に示すように、バイアルアダプタ接続体７０ｂは、バイアルアダプタ１と、天面１０２の外径が１３ｍｍのバイアル１１０と、を備える。バイアルアダプタ接続体７０ｂは、上述したバイアルアダプタ接続体７０ａと比較して、用いられるバイアルが異なるのみであるため、その点の詳細を以下に説明し、共通する部分の説明はここでは省略する。
【００９４】
バイアル１１０は、上述したバイアル１００と基本的な構成は同じであるが、各部位の寸法が、バイアル１００とは異なっている。具体的には、バイアル１１０の各部位の半径方向Ｉにおける外径は、バイアル１１０の対応する各部位の外径と比較して小さい構成となっている。
【００９５】
従って、バイアルアダプタ１をバイアル１１０に接続する際には、図１１の破線で示すように、複数の係止片３２ａ〜３２ｄを、バイアル１１０の天面１０２の外径よりも大きい外径に対応可能な位置まで、半径方向Ｉにおいて拡げておき、バイアルアダプタ１の針状部２０をゴム栓１０１ａに挿入し、バイアル１１０に対するバイアルアダプタ１の挿入方向Ｂにおける位置が所望の位置まで到達した後に、複数の係止片３２ａ〜３２ｄを、図１１の実線で示す位置まで半径方向Ｉの中心部側に移動させることによって、バイアルアダプタ１をバイアル１１０に接続する。
【００９６】
より具体的には、係止部材６としての複数の係止片３２ａ〜３２ｄを半径方向Ｉに移動させることにより、複数の係止片３２ａ〜３２ｄの各爪部３４を括れ部１０３が区画する環状空間１０４に進入させると共に、括れ部１０３の外壁と接触させて（括れ部１０３の外壁に引っ掛けて）、バイアル１００を係止する。
【００９７】
なお、バイアルアダプタ７０ｂにおいても、上述したバイアルアダプタ７０ａと同様、爪部３４と、付勢部材５０としてのコイルバネ５０ａとによって、蓋部１０５が挟持され、バイアルアダプタ１のバイアル１１０に対する位置を固定することができる。図１０、図１１で示すように、蓋部１０５の厚みＴはバイアル１００とバイアル１１０とで異なるため、付勢部材５０を備える構成とすることにより、厚みＴの異なる複数のバイアル１００、１１０それぞれに対して、バイアルアダプタ１をバイアルに対して安定的に固定することができる。
【００９８】
ここで、本実施形態では、天面１０２の外径が２０ｍｍのバイアル１００を備えるバイアルアダプタ接続体７０ａと、同外径が１３ｍｍのバイアル１１０を備えるバイアルアダプタ接続体７０ｂと、について説明したが、これらのバイアルに限られるものではなく、天面１０２の外径が異なる、例えば１５ｍｍ、３２ｍｍの外径を有するバイアルを加えた３種又は４種のバイアルに対応可能な単一のバイアルアダプタとすることも可能であるし、これら４種類のバイアルのうち任意の２種のバイアルに接続可能なバイアルアダプタとすることも可能である。なお、これらの外径寸法は、ＩＳＯ（Ｉｎｔｅｒｎａｔｉｏｎａｌ  Ｏｒｇａｎｉｚａｔｉｏｎ  ｆｏｒ  Ｓｔａｎｄａｒｄの略）８３６２−１において標準規格として定められているものである。
【００９９】
但し、これらの標準規格に沿って製造されていない、天面１０２の外径が異なる複数のバイアルに対応可能なようなバイアルアダプタとすることも当然可能である。
【産業上の利用可能性】
【０１００】
本発明は、バイアルに接続されるバイアルアダプタに関する。
【符号の説明】
【０１０１】
１：バイアルアダプタ
２：接続部材
３：刺通部材
４：連結部材
５：係止部材ホルダ
６：係止部材
７：接続口
８：ハウジング
９：スリット
１０：弾性弁体
１１：ハウジング本体
１２：キャップ
１３：第１中空部
１４：第２中空部
１５：弾性弁体の中空部
１６：蛇腹部
１７：円筒部
１８：キャップの内壁
１９：円筒部の天面部
２０：刺通部材の針状部
２１：刺通部材のフランジ部
２２：刺通部材の突出部
２３：刺通部材の中空部
２４：針状部の基端部
２５：連結部材の本体部
２６：連結部材のフランジ部
２７：凹部
２８：連結中空部
２９：軸孔
３０：第１ガイド部
３０ａ：ガイド長孔
３１：第２ガイド部
３１ａ：スライドレール
３２、３２ａ〜３２ｄ：係止片
３３：延在部
３４：爪部
３５：被保持部
３６：溝
３７：突起
３８：対向突部
５０：付勢部材
５０ａ：コイルバネ
６０：シール部材
６０ａ：オーリング
６１：延在部の内面
６２：被保持部の底面
６３：延在部の外面
６４：被保持部の天面
６５：円筒状突部
６６：円筒状突部の中空部
６７：環状溝
７０、７０ａ、７０ｂ：バイアルアダプタ接続体
７１：収容部
７２：内部空間
７３：収容容器
７４：固定部材
７５：環状溝
１００、１１０：バイアル
１０１：栓体
１０１ａ：ゴム栓
１０２：バイアルの天面
１０３：括れ部
１０４：環状空間
１０５：蓋部
Ａ：挿入部材の挿入方向
Ｂ：針状部の挿入方向
Ｃ：針状部の挿入方向に直交する方向
Ｄ：係止部材ホルダの半径方向
Ｅ：針状部の挿入方向の逆方向
Ｆ：係止部材ホルダの周方向
Ｇ：係止部材ホルダの回転方向
Ｈ：バイアルの天面に直交する方向
Ｉ：バイアルの天面の半径方向
Ｔ：バイアルの蓋部の厚み
Ｗ：ガイド長孔の幅
【図１】
2015062523.tif 000003
【図２】
2015062523.tif 000004
【図３】
2015062523.tif 000005
【図４】
2015062523.tif 000006
【図５】
2015062523.tif 000007
【図６】
2015062523.tif 000008
【図７】
2015062523.tif 000009
【図８】
2015062523.tif 000010
【図９】
2015062523.tif 000011
【図１０】
2015062523.tif 000012
【図１１】
2015062523.tif 000013